(57)【要約】【課題】複数の棟の谷部分を横支柱２で連続的に繋ぎ、該棟部分に張り渡されるビニールハウスにおいて、ビニールシート３の端部と横支柱２間に生じる間隙を塞ぐ保温シート相互の接合作業、または引き外し作業が容易に短時間で出来ること、接合部分が破れないことなどが望まれていた。【解決手段】ビニールシート３の端部と横支柱２間に生じる間隙５を塞ぐ保温シート６を横支柱２の両側のアーチパイプ１ｂにロープ７で平行になるよう各吊り下げて、ハウスの加温時は保温シート６の相互の下縁を接合させてジッパー８を閉じ、室内温度または湿度が上がったときにジッパー８を開いて換気するようにした。また前記保温シート６は、一定幅を有する帯状のビニールシートであって、その上縁にロープ５を挿通し、下縁側に凹凸結合式のジッパー８を全域に亘って設けたビニールシートとした。【選択図】図１
2005110596.tif 000002
【特許請求の範囲】
【請求項１】
アーチ型パイプで形成する複数の棟の谷部分を横支柱（２）で連続的に繋ぎ、該棟部分に張り渡されるビニールシート（３）を谷部分から両側に巻き上げて換気するビニールハウスにおいて、ビニールシート（３）の端部と横支柱２間に生じる間隙（５）を塞ぐ保温シート（６）を横支柱（２）の両側のアーチパイプ（１ｂ）にロープ７で平行になるよう各吊り下げて、ハウスの加温時は保温シート（６）の相互の下縁を接合させてジッパー（８）を閉じ、室内温度または湿度が上がったときにジッパー（８）を開いて換気するようにしたビニールハウスの保温シート。
【請求項２】
前記保温シート（６）は、一定幅を有する帯状のビニールシートであって、その上縁にロープ（７）を挿通し、下縁側に凹凸結合式のジッパー（８）を全域に亘って設けたビニールシートである請求項１記載のビニールハウスの保温シート。
【発明の詳細な説明】
【技術分野】
【０００１】
本発明は、作物または果樹など農芸用ハウスの室内保温性を高めることを目的とするものであって、換気のためにハウスを覆うビニールシートの巻き上げ端部とアーチパイプを繋ぐ横支柱との間に生じる間隙から外部冷気が侵入しないようにする保温シートに関する。
【背景技術】
【０００２】
従来、図１に示すような複数のアーチ型フレームの谷部分を長手方向に延びる横支柱で連続的に繋いだビニールハウスは、室内空間が大きくなるためその室内保温性を高めるためにパイプフレームを上下２層に重ね、それらパイプフレームにビニールシートをそれぞれ被せる２層構造とするのを一般とする。そして室内温度または湿度が所定値より高くなった時にビニールシート端部を谷部分から両側に巻き上げて換気していた。かかる構造の場合、例えビニールシートをいっぱい引き下げてもシートの端部と横支柱の間に間隙が生じてそこから外気が入り込み室内温度が低下するという問題があった。かかる不具合を防ぐために横支柱の下方に図３に示すような上縁にロープを挿通したすだれ状の保温シートを横支柱の両側のアーチパイプにロープでそれぞれ対向させて吊り下げて結び止めし、ハウス内の加温時はシート端部を相互に接合し折り曲げて洗濯バサミやホッチキス等で挟み止めし外部冷気が前記間隙から室内に入り込まないようにしていた。また室内温度が高まったときには、洗濯バサミやホッチキスを外して換気していた。然しながらその際、接合部分が破れたりして修復に時間がかかりハウス内の保温効果が下がるという問題があった。またかかるシートを廃棄ビニールとして出す場合に１０００本近いホッチキス針を取り除く必要があり問題であった。
【発明の開示】
【発明が解決しようとする課題】
【０００３】
かかる保温シート相互の接合作業、または引き外し作業が容易に短時間で出来ること、接合部分が破れないことなどが強く望まれていた。
【課題を解決するための手段】
【０００４】
本発明のビニールハウスの保温構造は、請求項１記載のように、アーチ型パイプで形成する複数の棟の谷部分を横支柱２で連続的に繋ぎ、該棟部分に張り渡されるビニールシート３を谷部分から両側に巻き上げて換気するビニールハウスにおいて、ビニールシート3の端部と横支柱２間に生じる間隙５を塞ぐ保温シート６を横支柱２の両側のアーチパイプ１ｂにロープ７で平行になるよう各吊り下げて、ハウスの加温時は保温シート６の相互の下縁を接合させてジッパー８を閉じ、室内温度または湿度が上がったときにジッパー８を開いて換気するようにしたことを特徴とする。
【０００５】
また請求項２記載のように、前記保温シート６は、一定幅を有する帯状のビニールシートであって、その上縁にロープ５を挿通し、下縁側に凹凸結合式のジッパー８を全域に亘って設けたビニールシートであることを特徴としている。
【発明の効果】
【０００６】
保温シート６端部の接合を凹凸結合式のジッパー構造としたので、保温シート端部の接合作業が容易に出来る。またジッパーの開閉作業が容易であるのでハウスの換気作業が容易に出来る。また接合部分が破れない等の効果がある。さらにビニールシートの内面を伝わって落下する結露をジッパーを閉じたときには保温シート内へ溜め込むことが出来て通路への結露のボタ落ちを防ぐこともできる。
【発明を実施するための最良の形態】
【０００７】
以下、本発明の実施の１形態を図面に基づき説明する。
本発明のビニールハウスは、図１に示すように金属製または塩ビ製のアーチ型パイプ１から成る幾棟ものアーチ型棟部分をその接合部となる谷部に配した横支柱２で連続的に繋げ、アーチ型パイプで形成される各棟部分にビニールシート３を張り巡らしたものである。そして拡張された室内空間の保温性を高めるために該アーチ型パイプ１は２層構造となっている。すなわちビニールシート３でそれぞれ覆われるアーチ型の外側パイプ１ａ及び内側パイプ１ｂは、その端部が長手方向に延設される横支柱２で各支持されている。尚、この横支柱２は適宜な間隔でハウス内の通路上に立設した縦支柱(図示せず)で支持されている。
【０００８】
そして外側アーチパイプ１ａを覆う外側シ−ト３ａ及び内側アーチパイプ１ｂを覆う内側シート３ｂの端部にはシート巻き取り用のロッド４が挿通されており、ハウス内が所定温度または湿度よりも高くなった時に、このロッド４でシート端部を巻き上げて横支柱２とシート端部間を開いて換気するようにしている。然しながらかかる構造の場合、例えシートをいっぱい引き下げてもシートの端部と横支柱２の間に間隙５が出来てそこから外気が入り込み室内温度が低下するという問題があった。この間隙５を塞ぐための保温シート６が、横支柱２を挟んで両側の内側アーチパイプ１ｂにロープ７で長手方向に平行にそれぞれ吊り下げられ結び止めされている。すなわち保温シート６は、図２及び図３に示すようにビニールシートの上端にロープ７を挿通し、他端側は凹凸結合式のジッパー８を長手方向に全域に亘って設けたものであって、横支柱２の両側の内側アーチパイプ１ｂにロープ７で平行になるよう各吊り下げられており、ハウスの加温時は、保温シート６の相互の端部を接合させジッパー８を閉じて室内保温を保つことが出来る。また室内温度または湿度が高まったときには、ロッド４でビニールシート端部を捲り上げ、間隙５を広げてからジッパー８を開いて換気するようにする。
【０００９】
さらにビニールシートの内面を伝わって落下する結露は、ジッパーを閉じたときに保温シート６内へ溜め込むことが出来て通路への結露のボタ落ちを防ぐこともできる。溜まった結露が多量になった時にはジッパー８を開いて通路へ落とすようにするなど結露の問題も合わせて解決できる。
【図面の簡単な説明】
【００１０】
【図１】ビニールハウス棟の谷部分を示す斜視図である。
【図２】図１の左側面図である。
【図３】受けシートの正面図である。
【符号の説明】
【００１１】
１  アーチ型パイプ
２  横支柱
３  ビニールシート
４  ロッド
５  間隙
６  保温シート
７  ロープ
８  凹凸結合式ジッパー
【図１】
2005110596.tif 000003
【図２】
2005110596.tif 000004
【図３】
2005110596.tif 000005